(57)【要約】【課題】利便性の向上が図れるプロジェクタを提供する。【解決手段】プロジェクタ１は、光源装置２１に電力を供給する光源駆動部２２と、外部マイクロフォンからの音声信号を処理する信号処理手段８１、及び信号処理手段８１にて処理された音声信号を増幅する増幅手段８２を有する音声処理装置８と、音声処理装置に電力を供給する音声用電源装置６２とを備える。制御装置１０は、光源駆動部２２から光源装置２１に電力を供給させた通常動作モード、または、光源駆動部２２からの電力供給を停止させたスタンバイモードに設定する電源制御手段１１を備える。電源制御手段１１は、スタンバイモード時において、音声用電源装置６２から音声処理装置８に電力を供給させ、音声処理装置８を介した音声信号に基づく音声を出力可能な音声出力状態に設定する。【選択図】図１
2010122496.tif 000002
【特許請求の範囲】
【請求項１】
光源装置を有し画像光を拡大投射する画像投射装置と、前記画像投射装置を制御する制御装置とを備えたプロジェクタであって、
前記光源装置に対して動作に必要な電力を供給する光源用電源装置と、
外部マイクロフォンからの音声信号を処理する信号処理手段、及び前記信号処理手段にて処理された音声信号を増幅する増幅手段を有する音声処理装置と、
前記音声処理装置に対して動作に必要な電力を供給する音声用電源装置とを備え、
前記制御装置は、
前記光源用電源装置から前記光源装置に電力を供給させた通常動作モード、または、前記光源用電源装置からの電力供給を停止させたスタンバイモードに設定する電源制御手段を備え、
前記電源制御手段は、
前記スタンバイモード時において、前記音声用電源装置から前記音声処理装置に電力を供給させ、前記音声処理装置を介した前記音声信号に基づく音声を出力可能な音声出力状態に設定する
ことを特徴とするプロジェクタ。
【請求項２】
請求項１に記載のプロジェクタにおいて、
前記音声出力状態に設定するための設定情報を入力させる操作装置を備え、
前記電源制御手段は、
前記設定情報が入力された場合に、前記音声出力状態に設定する
ことを特徴とするプロジェクタ。
【請求項３】
請求項１または請求項２に記載のプロジェクタにおいて、
前記外部マイクロフォンの接続プラグが挿し込まれ、前記外部マイクロフォンからの音声信号を前記信号処理手段に出力するマイクジャックと、
前記マイクジャックに前記接続プラグが挿し込まれた接続状態、及び非接続状態を検出する接続検出装置とを備え、
前記電源制御手段は、
前記接続状態であると検出された場合に、前記音声出力状態に設定する
ことを特徴とするプロジェクタ。
【請求項４】
請求項１から請求項３のいずれかに記載のプロジェクタにおいて、
前記外部マイクロフォンから音声信号が入力されている入力状態、及び非入力状態を検出する入力検出装置を備え、
前記電源制御手段は、
前記入力状態であると検出された場合に、前記音声出力状態に設定する
ことを特徴とするプロジェクタ。
【請求項５】
請求項４に記載のプロジェクタにおいて、
前記電源制御手段は、
前記音声出力状態に設定した後、前記非入力状態であると検出された場合に、前記音声処理装置における少なくとも前記増幅手段への電力供給を停止させる
ことを特徴とするプロジェクタ。
【請求項６】
請求項１から請求項５のいずれかに記載のプロジェクタにおいて、
前記音声用電源装置の負荷状態を検出する負荷検出装置と、
前記音声用電源装置を冷却する冷却装置とを備え、
前記制御装置は、
前記負荷状態に基づいて、前記冷却装置を制御する冷却制御手段を備える
ことを特徴とするプロジェクタ。
【請求項７】
請求項６に記載のプロジェクタにおいて、
前記信号処理手段は、
予め設定されているボリューム値に対応するゲインで前記音声信号を処理し、
前記制御装置は、
前記冷却装置の動作状態に応じて、前記ゲインを変更する音量制御手段を備える
ことを特徴とするプロジェクタ。
【請求項８】
請求項１から請求項７のいずれかに記載のプロジェクタにおいて、
前記音声処理装置及び前記音声用電源装置の少なくともいずれか一方の温度を検出する温度検出装置を備え、
前記電源制御手段は、
前記音声出力状態に設定した後、前記温度が所定閾値以上である場合に、前記音声用電源装置から少なくとも前記増幅手段への電力供給を停止させる
ことを特徴とするプロジェクタ。
【請求項９】
請求項８に記載のプロジェクタにおいて、
前記音声処理装置及び前記音声用電源装置の少なくともいずれか一方を冷却する冷却装置を備え、
前記制御装置は、
前記温度が前記所定閾値以上である場合に、前記冷却装置を動作させる冷却制御手段を備え、
前記電源制御手段は、
前記音声出力状態に設定してから前記音声用電源装置における少なくとも前記増幅手段への電力供給を停止させた後、前記温度が前記所定閾値未満となった場合に、再度、前記音声出力状態に設定する
ことを特徴とするプロジェクタ。
【請求項１０】
光源装置を有し画像光を拡大投射する画像投射装置と、前記画像投射装置を制御する制御装置と、前記光源装置に対して動作に必要な電力を供給する光源用電源装置と、外部マイクロフォンからの音声信号を処理する音声処理装置と、前記音声処理装置に対して動作に必要な電力を供給する音声用電源装置とを備えたプロジェクタの制御方法であって、
前記制御装置が、
前記光源用電源装置からの電力供給を停止させたスタンバイモード時において、前記音声用電源装置から前記音声処理装置に電力を供給させ、前記音声処理装置を介した前記音声信号に基づく音声を出力可能な音声出力状態に設定する電源制御ステップを実行する
ことを特徴とする制御方法。
【発明の詳細な説明】
【技術分野】
【０００１】
本発明は、プロジェクタ、及びプロジェクタの制御方法に関する。
【背景技術】
【０００２】
従来、画像光をスクリーン等に拡大投射するプロジェクタにおいて、マイクロフォンにて集音した音声を出力するプロジェクタ（オーバーヘッドプロジェクタ）が知られている（例えば、特許文献１参照）。
特許文献１に記載のプロジェクタでは、音声増幅装置及び録音・再生装置を備え、マイクロフォンから入力される音声信号を録音・再生装置に録音するとともに音声増幅装置で拡声させている。
【０００３】
【特許文献１】実開平３−５８６２８号公報
【発明の開示】
【発明が解決しようとする課題】
【０００４】
ところで、プロジェクタにおいて、光源装置に対して動作に必要な電力を供給させた通常動作モード（光源装置を点灯させて画像光を投射可能な状態）では、一般的に、光源装置の発熱によるプロジェクタの動作不具合等を防止するために、冷却ファン等によりプロジェクタ内部を冷却するものである。
このため、利用者は、自身が発声した声をマイクロフォン及びプロジェクタを利用して拡声しても、冷却ファン等の駆動時の騒音が入り込んでしまう。
したがって、冷却ファン等の駆動時の騒音が入り込むことなく、プロジェクタを拡声器として利用でき、利便性の向上が図れる技術が要望されている。
【０００５】
本発明の目的は、利便性の向上が図れるプロジェクタ、及びプロジェクタの制御方法を提供することにある。
【課題を解決するための手段】
【０００６】
本発明のプロジェクタは、光源装置を有し画像光を拡大投射する画像投射装置と、前記画像投射装置を制御する制御装置とを備えたプロジェクタであって、前記光源装置に対して動作に必要な電力を供給する光源用電源装置と、外部マイクロフォンからの音声信号を処理する信号処理手段、及び前記信号処理手段にて処理された音声信号を増幅する増幅手段を有する音声処理装置と、前記音声処理装置に対して動作に必要な電力を供給する音声用電源装置とを備え、前記制御装置は、前記光源用電源装置から前記光源装置に電力を供給させた通常動作モード、または、前記光源用電源装置からの電力供給を停止させたスタンバイモードに設定する電源制御手段を備え、前記電源制御手段は、前記スタンバイモード時において、前記音声用電源装置から前記音声処理装置に電力を供給させ、前記音声処理装置を介した前記音声信号に基づく音声を出力可能な音声出力状態に設定することを特徴とする。
【０００７】
ここで、本発明のプロジェクタとしては、音声処理装置にて処理された音声信号に基づく音声を拡声するスピーカを内蔵した構成としてもよく、あるいは、外部スピーカを別途、プロジェクタに接続し、外部スピーカを介して音声処理装置にて処理された音声信号に基づく音声を拡声させる構成としても構わない。
また、電源制御手段としては、スタンバイモード時においてのみ音声出力状態に設定する構成に限らず、通常動作モード及びスタンバイモードの双方において音声出力状態に設定する構成も含むものである。
【０００８】
ところで、光源用電源装置から光源装置への電力供給を停止させ、光源装置を消灯させたスタンバイモード時には、光源装置が発熱しないため、通常、光源装置を冷却する冷却ファン等の駆動も停止するように制御する。
本発明では、制御装置を構成する電源制御手段は、スタンバイモード時において、音声用電源装置から音声処理装置に電力を供給させ、音声処理装置を介した音声信号に基づく音声を出力可能な音声出力状態に設定する。このことにより、利用者は、自身が発声した声を外部マイクロフォン及びプロジェクタを利用して拡声しても、冷却ファン等の駆動時の騒音が入り込むことがない。したがって、冷却ファン等の駆動時の騒音が入り込むことなく、プロジェクタを拡声器として利用でき、利便性の向上が図れる。
【０００９】
本発明のプロジェクタでは、前記音声出力状態に設定するための設定情報を入力させる操作装置を備え、前記電源制御手段は、前記設定情報が入力された場合に、前記音声出力状態に設定することが好ましい。
ここで、操作装置としては、例えば、プロジェクタの外装筐体に設けられた操作パネルや、リモートコントローラの他、プロジェクタに機械スイッチを設け、該機械スイッチを操作装置として採用してもよい。
本発明では、電源制御手段は、利用者による操作装置への設定情報の入力に応じて、音声出力状態に設定する。このことにより、利用者は、プロジェクタを拡声器として利用したい場合に限り、設定情報を入力すればよく、利便性の向上がさらに図れる。
また、利用者がプロジェクタを拡声器として利用しない場合、すなわち、利用者により設定情報が入力されていない状態では、音声出力状態に設定されないため、音声用電源装置からの音声処理装置への電力供給を停止でき、不要な電力消費を回避できる。
【００１０】
本発明のプロジェクタでは、前記外部マイクロフォンの接続プラグが挿し込まれ、前記外部マイクロフォンからの音声信号を前記信号処理手段に出力するマイクジャックと、前記マイクジャックに前記接続プラグが挿し込まれた接続状態、及び非接続状態を検出する接続検出装置とを備え、前記電源制御手段は、前記接続状態であると検出された場合に、前記音声出力状態に設定することが好ましい。
ところで、利用者がプロジェクタを拡声器として利用しない場合には、通常、外部マイクロフォンの接続プラグは、マイクジャックに挿し込まれてない。
本発明では、電源制御手段は、接続検出装置にて外部マイクロフォンの接続プラグがマイクジャックに挿し込まれた接続状態であると検出された場合に、音声出力状態に設定する。このことにより、利用者がプロジェクタを拡声器として利用するか否かを、接続検出装置による検出結果によって容易に判断できる。このため、利用者に入力操作をさせることなく、音声出力状態に設定でき、利便性をさらに向上できる。
また、上述した操作装置への設定情報の入力と組み合わせ、電源制御手段が、設定情報が入力され、かつ、接続状態であると検出された場合に、音声出力状態に設定する構成とすれば、以下の効果がある。
すなわち、利用者がプロジェクタを拡声器として利用しないにも拘らず、外部マイクロフォンの接続プラグをマイクジャックから引き抜くことを忘れ、挿し込んだままの状態になっていることが想定される。このような場合には、電源制御手段が、接続状態であることのみを条件に音声出力状態に設定すると、利用者がプロジェクタを拡声器として利用しないにも拘らず、音声用電源装置から音声処理装置に電力が供給されるため、不要に電力を消費してしまう。
そこで、電源制御手段が、設定情報が入力され、かつ、接続状態であると検出された場合に、音声出力状態に設定する構成とすれば、プロジェクタを拡声器として利用することを確実に判断でき、不要な電力消費を回避できる。
【００１１】
本発明のプロジェクタでは、前記外部マイクロフォンから音声信号が入力されている入力状態、及び非入力状態を検出する入力検出装置を備え、前記電源制御手段は、前記入力状態であると検出された場合に、前記音声出力状態に設定することが好ましい。
ところで、外部マイクロフォンの接続プラグがマイクジャックに挿し込まれた状態であっても、利用者が外部マイクロフォンに向けて発声しておらず、すなわち、プロジェクタを拡声器として利用していない場合が想定される。
本発明では、電源制御手段は、入力検出装置にて外部マイクロフォンから音声信号が入力されている入力状態（利用者が外部マイクロフォンに向けて発声している状態）であると検出された場合に、音声出力状態に設定する。このことにより、利用者がプロジェクタを拡声器として現在、利用しているか否かを確実に判断できる。このため、利用者に入力操作をさせることなく、音声出力状態に設定でき、利便性をさらに向上できる。
また、上述した接続状態の検出と組み合わせ、電源制御手段が、接続状態であると検出され、かつ、入力状態であると検出された場合に、音声出力状態に設定する構成とすれば、以下の効果がある。
例えば、電源制御手段は、接続状態であると検出された場合に、音声用電源装置から信号処理手段にのみ電力を供給させる。そして、電源制御手段は、入力状態であると検出された場合に、音声用電源装置から増幅手段にも電力を供給させる。
上記のように段階的に信号処理手段及び増幅手段に電力を供給させる構成とすれば、利用者がプロジェクタを拡声器として現在、利用していると確実に判断した場合に限り、信号処理手段に比べて消費電力の高い増幅手段に電力を供給し、音声出力状態に設定できるため、低消費電力化が図れる。
【００１２】
本発明のプロジェクタでは、前記電源制御手段は、前記音声出力状態に設定した後、前記非入力状態であると検出された場合に、前記音声処理装置における少なくとも前記増幅手段への電力供給を停止させることが好ましい。
本発明では、電源制御手段は、上述した場合に、音声処理装置における少なくとも増幅手段への電力供給を停止させる。このことにより、利用者がプロジェクタを拡声器として利用した後、利用しなくなった場合に、消費電力の高い増幅手段への電力供給を少なくとも停止させるため、不要な電力消費を回避できる。
【００１３】
本発明におけるプロジェクタでは、前記音声用電源装置の負荷状態を検出する負荷検出装置と、前記音声用電源装置を冷却する冷却装置とを備え、前記制御装置は、前記負荷状態に基づいて、前記冷却装置を制御する冷却制御手段を備えることが好ましい。
本発明では、制御装置を構成する冷却制御手段は、例えば、音声用電源装置の負荷が大きくなったと負荷検出装置にて検出された場合に、冷却装置を駆動させ、音声用電源装置を冷却する。このことにより、音声用電源装置の負荷が大きくなった場合、すなわち、音声用電源装置の温度が所定温度以上になった場合に限り、冷却装置を駆動するので、スタンバイモード時での冷却装置の駆動による騒音を抑制しつつ、音声用電源装置の熱劣化を防止できる。
【００１４】
本発明のプロジェクタでは、前記信号処理手段は、予め設定されているボリューム値に対応するゲインで前記音声信号を処理し、前記制御装置は、前記冷却装置の動作状態に応じて、前記ゲインを変更する音量制御手段を備えることが好ましい。
ところで、冷却装置が駆動し音声用電源装置が冷却されれば、音声用電源装置からの電力供給能力が高まり、音声処理装置からの音声出力能力も高めることができるため、スピーカから拡声される音量も大きくすることが可能である。
本発明では、制御装置を構成する音量制御手段は、例えば、冷却装置の駆動開始に応じて、信号処理手段にて用いられるボリュームテーブルにおいて、ボリューム値毎の各ゲイン（減衰量(dB)）を予め設定されている値よりも小さくなるように補正する。すなわち、補正したボリュームテーブルを利用して信号処理手段が音声信号を処理することで、予め設定された補正前のボリュームテーブルを用いた場合と比較して、音声信号の音量が大きくなり、スピーカから拡声される音量を大きくできる。したがって、スピーカから拡声される音量自体を大きくすることで、冷却装置の駆動時における騒音の影響を回避できる。
【００１５】
本発明のプロジェクタでは、前記音声処理装置及び前記音声用電源装置の少なくともいずれか一方の温度を検出する温度検出装置を備え、前記電源制御手段は、前記音声出力状態に設定した後、前記温度が所定閾値以上である場合に、前記音声用電源装置から少なくとも前記増幅手段への電力供給を停止させることが好ましい。
本発明では、電源制御手段は、音声出力状態に設定した後、音声処理装置及び音声用電源装置の少なくともいずれか一方が高温異常（温度が使用限界温度（所定閾値）以上）となった場合に、音声用電源装置から少なくとも増幅手段への電力供給を停止させる。このことにより、音声処理装置や音声用電源装置の熱劣化を抑制しつつ、消費電力の高い増幅手段への電力供給を少なくとも停止させることで不要な電力消費を回避できる。
【００１６】
本発明のプロジェクタでは、前記音声処理装置及び前記音声用電源装置の少なくともいずれか一方を冷却する冷却装置を備え、前記制御装置は、前記温度が前記所定閾値以上である場合に、前記冷却装置を動作させる冷却制御手段を備え、前記電源制御手段は、前記音声出力状態に設定してから前記音声用電源装置における少なくとも前記増幅手段への電力供給を停止させた後、前記温度が前記所定閾値未満となった場合に、再度、前記音声出力状態に設定することが好ましい。
本発明では、電源制御手段は、音声処理装置及び音声用電源装置の少なくともいずれか一方が高温異常となり、音声用電源装置から少なくとも増幅手段への電力供給を停止させた後、冷却制御手段による冷却装置の制御によって音声処理装置及び音声用電源装置の少なくともいずれか一方が高温異常から正常な状態（温度が使用限界温度未満）となった場合に、再度、音声出力状態に設定する。すなわち、高温異常時は冷却装置による冷却に注力させ、高温異常から正常な状態への復帰後には、再度、プロジェクタを拡声器として利用できる。したがって、音声処理装置や音声用電源装置の熱劣化を効果的に抑制しつつ、迅速にプロジェクタを拡声器として利用できる状態とすることができる。
【００１７】
本発明の制御方法は、光源装置を有し画像光を拡大投射する画像投射装置と、前記画像投射装置を制御する制御装置と、前記光源装置に対して動作に必要な電力を供給する光源用電源装置と、外部マイクロフォンからの音声信号を処理する音声処理装置と、前記音声処理装置に対して動作に必要な電力を供給する音声用電源装置とを備えたプロジェクタの制御方法であって、前記制御装置が、前記光源用電源装置からの電力供給を停止させたスタンバイモード時において、前記音声用電源装置から前記音声処理装置に電力を供給させ、前記音声処理装置を介した前記音声信号に基づく音声を出力可能な音声出力状態に設定する電源制御ステップを実行することを特徴とする。
本発明の制御方法は、上述したプロジェクタを利用して実施されるものであるので、上述したプロジェクタと同様の作用及び効果を享受できる。
【発明を実施するための最良の形態】
【００１８】
以下、本発明の実施の一形態を図面に基づいて説明する。
〔プロジェクタの構成〕
図１は、プロジェクタ１の概略構成を示すブロック図である。
プロジェクタ１は、光源から射出される光束を画像情報に応じて変調して画像光を形成し、形成した画像光をスクリーン（図示略）上に拡大投射するものである。このプロジェクタ１は、図１に示すように、画像投射装置２と、画像処理装置３と、操作装置４と、冷却装置５と、電源装置６と、接続検出装置７と、音声処理装置８と、送受信装置９と、制御装置１０とで大略構成されている。
【００１９】
画像投射装置２は、画像光を形成して拡大投射する。この画像投射装置２は、図１に示すように、光源装置２１と、光源用電源装置としての光源駆動部２２と、光変調装置２３と、投射光学装置２４とを備える。
光源装置２１は、光束を光変調装置２３に向けて射出する。本実施形態では、光源装置２１は、放電発光型の光源ランプで構成されている。
光源駆動部２２は、電源プラグＰＬ（図１）を介して商用交流電源を入力し、制御装置１０による制御の下、光源装置２１の動作に必要な電力に変換して光源装置２１に供給し、光源装置２１を点灯させる。
光変調装置２３は、液晶パネルで構成され、光源装置２１から射出された光束を画像光に変調して投射光学装置２４に射出する。
投射光学装置２４は、光変調装置２３から射出された画像光を拡大投射する。
【００２０】
画像処理装置３は、制御装置１０からの制御指令に応じて、入力した画像信号に対して所定の画像処理を施し、画像処理を施した画像信号に基づく駆動信号を光変調装置２３に出力して、所定の画像光を光変調装置２３に形成させる。
【００２１】
操作装置４は、図示しないリモートコントローラや、プロジェクタ１の外装筐体に露出して設けられた操作パネルにより構成され、利用者による操作を認識して所定の操作信号を制御装置１０に出力する。
なお、具体的な図示は省略したが、リモートコントローラや操作パネルにおけるボタンやキーとしては、プロジェクタ１の電源ＯＮ／ＯＦＦを実施するための電源ボタン、メニュー画面を表示させるためのメニューボタン、メニュー画面上での項目を選択させるための選択キー、スピーカＳｐ（図１）から拡声される音量を調整させるための音量調整キー等が例示できる。
【００２２】
冷却装置５は、プロジェクタ１内部の複数の冷却対象に応じて複数、設けられ、前記複数の冷却対象をそれぞれ冷却する。
本実施形態では、冷却装置５は、図１に示すように、３つの冷却装置５１〜５３で構成されている。
光源用冷却装置５１は、光源装置２１を冷却するものであり、冷却ファン５１１と、電源装置６から供給された電力に基づいて、制御装置１０による制御指令に応じた駆動電圧で冷却ファン５１１を駆動するファン駆動部５１２とを備える。
パネル用冷却装置５２は、光変調装置２３を冷却するものであり、光源用冷却装置５１と同様に、冷却ファン５２１及びファン駆動部５２２を備える。
電源用冷却装置５３は、光源駆動部２２及び電源装置６を冷却するものであり、各冷却装置５１，５２と同様に、冷却ファン５３１及びファン駆動部５３２を備える。
【００２３】
電源装置６は、プロジェクタ１の各構成要素に電力を供給する。この電源装置６は、図１に示すように、システム電源装置６１と、音声用電源装置６２と、冷却用電源装置６３と、送受信用電源装置６４等を備える。
システム電源装置６１は、電源プラグＰＬ（図１）を介して商用交流電源を入力し、音声用電源装置６２、冷却用電源装置６３、及び送受信用電源装置６４に供給する他、制御装置１０の動作に必要な電力に変換して制御装置１０に供給する。
【００２４】
音声用電源装置６２は、システム電源装置６１から供給された電力を音声処理装置８の動作に必要な電力に変換し、音声処理装置８に供給する。この音声用電源装置６２は、図１に示すように、音声処理装置８の後述する信号処理手段８１の動作に必要な電力に変換して信号処理手段８１に供給するＤＳＰ用電源部６２１と、音声処理装置８の後述する増幅手段８２の動作に必要な電力に変換して増幅手段８２に供給するアンプ用電源部６２２とを備える。
冷却用電源装置６３は、システム電源装置６１から供給された電力を各冷却ファン５１１〜５３１の動作に必要な電力に変換し、各冷却装置５に供給する。
送受信用電源装置６４は、システム電源装置６１から供給された電力を送受信装置９の動作に必要な電力に変換し、送受信装置９に供給する。
【００２５】
図２は、マイクジャックＭＪ及び接続検出装置７の構成を示す回路図である。
なお、図２では、説明の便宜上、外部マイクロフォンの接続プラグ（図示略）が３極ステレオ端子である場合のマイクジャックＭＪを図示している。
マイクジャックＭＪは、図２に示すように、外部マイクロフォンの接続プラグにおけるＧＮＤ接点、Ｒチャンネル接点、及びＬチャンネル接点にそれぞれ電気的に接続するＧＮＤ接点ＭＪg、Ｒチャンネル接点ＭＪr、及びＬチャンネル接点ＭＪlとを備える。
そして、外部マイクロフォンの接続プラグがマイクジャックＭＪに挿し込まれた状態では、Ｒチャンネル接点ＭＪr及びＬチャンネル接点ＭＪlを介して、外部マイクロフォンから出力されるＲチャンネル信号（音声信号）及びＬチャンネル信号（音声信号）が入力され、図２では図示を略した音声処理装置８に出力される。
【００２６】
接続検出装置７は、図２に示すように、ＧＮＤレベル電位に接地されＲチャンネル接点ＭＪrに当接する第１スイッチ部７１１、及び第１スイッチ部７１１に当接して導通状態、または離間して非導通状態となる第２スイッチ部７１２を備えた、所謂スイッチ７１を有する。
すなわち、第２スイッチ部７１２の電位は、外部マイクロフォンの接続プラグがマイクジャックＭＪに挿し込まれていない非接続状態では、第１，第２スイッチ部７１１，７１２が導通状態となるため、ＧＮＤ電位となる。一方、外部マイクロフォンの接続プラグがマイクジャックＭＪに挿し込まれた接続状態では、第１スイッチ部７１１がＲチャンネル接点ＭＪrにより押し上げられ、第１，第２スイッチ部７１１，７１２が非導通状態となるため、第２スイッチ部７１２に接続されたプルアップ抵抗７１３と直流電源Ｖｄにより、第２スイッチ部７１２の電位が変化する。
このため、接続検出装置７は、上記電位の変化を検出することで、上記接続状態及び非接続状態を検出する。そして、接続検出装置７は、検出結果を制御装置１０に出力する。
【００２７】
音声処理装置８は、マイクジャックＭＪを介して入力した音声信号（以下、マイク音声信号）を処理して、音声信号に基づく音声をスピーカＳｐから拡声させる。この音声処理装置８は、図１に示すように、信号処理手段８１と、増幅手段８２とを備える。
信号処理手段８１は、ＤＳＰ(Digital Signal Processor)で構成され、設定された音質、および、利用者による操作装置４への操作により設定された音量に応じて、マイク音声信号を処理する。
【００２８】
例えば、信号処理手段８１は、以下に示すようなボリュームテーブルを用いて、音量を調整する。
すなわち、ボリュームテーブルは、利用者による操作装置４への操作により設定される各ボリューム値（例えば、０〜１０の１１段階）に応じてそれぞれゲイン（減衰量(dB)：例えば、ボリューム値が１０から０に向かうにしたがって大きくなる）が設定されている。
そして、信号処理手段８１は、ボリュームテーブルに基づいて、利用者による操作装置４への操作により設定されたボリューム値に対応したゲインを認識し、認識したゲインでマイク音声信号を処理する。
【００２９】
また、信号処理手段８１は、マイク音声信号の信号レベル（例えば、実効値やピーク値等）を検出し、マイク音声信号を入力している入力状態であるか、あるいは、信号レベルが一定期間、継続して所定レベル未満である非入力状態であるかを検出する。すなわち、信号処理手段８１は、本発明に係る入力検出装置に相当する。
増幅手段８２は、所謂アンプであり、信号処理手段８１にて処理された音声信号を所定の増幅率で増幅してスピーカＳｐに出力し、マイク音声信号に基づく音声をスピーカＳｐから拡声させる。
【００３０】
送受信装置９は、ＬＡＮ(Local Area Network)等のネットワークインターフェース、パラレルインターフェース、シリアルインターフェース等で構成され、外部機器と情報の送受信を行う機能を有する。例えば、送受信装置９は、外部のＰＣ（図示略）等から制御指令を受信し、受信した制御指令をインターフェース規格に応じた情報に変換して制御装置１０に出力する。また、送受信装置９は、制御装置１０から出力された情報をインターフェース規格に応じた情報を変換して前記外部のＰＣ等に送信する。
【００３１】
制御装置１０は、ＣＰＵ(Central Processing Unit)等で構成され、図示しないメモリに記憶された制御プログラムにしたがって、プロジェクタ１全体を制御する。なお、以下では、制御装置１０の構成として、冷却装置５、電源装置６、及び音声処理装置８の制御構造を主に説明し、その他の画像処理装置３等の制御構造については説明を省略する。この制御装置１０は、図１に示すように、電源制御手段１１と、冷却制御手段１２と、音量制御手段１３とを備える。
【００３２】
電源制御手段１１は、図示しないメモリに記憶された情報、及び利用者による操作装置４への入力操作に応じて、光源駆動部２２及び電源装置６に制御指令を出力し、プロジェクタ１を通常動作モード、または、スタンバイモードに移行する。
本実施形態では、スタンバイモードは、基本スタンバイモード（以下、基本STBモード）、ネットワークスタンバイモード（以下、NWSTBモード）、及びマイクスタンバイモード（以下、MicSTBモード）の３つのモードが設けられている。
具体的に、基本STBモードは、システム電源装置６１から制御装置１０のみに電力を供給させるモードである。すなわち、制御装置１０のみが動作するモードである。
NWSTBモードは、システム電源装置６１から制御装置１０に電力を供給させるとともに、送受信用電源装置６４から送受信装置９に電力を供給させるモードである。すなわち、制御装置１０の他、送受信装置９のみが動作するモードである。
MicSTBモードは、NWSTBモードと同様に制御装置１０及び送受信装置９に電力を供給させるとともに、音声用電源装置６２から音声処理装置８に電力を供給可能な状態に設定するモードである。すなわち、制御装置１０及び送受信装置９が動作するとともに、音声処理装置８が動作可能なモードである。
通常動作モードは、プロジェクタ１の各構成部材全てを動作可能とするために、光源駆動部２２及び電源装置６から対応する各構成部材に電力を供給させるモードである。
【００３３】
例えば、制御装置１０は、通常動作モード時において、利用者による操作装置４の入力操作により、メニュー画面を表示させている状態で、NWSTBモードの「有効」または「無効」のいずれかを選択させることができる。そして、制御装置１０は、NWSTBモードの「無効」が選択された際、基本STBモードに設定する旨の情報を図示しないメモリに記憶させる。
一方、制御装置１０は、NWSTBモードの「有効」が選択された際、さらに、メニュー画面上において、MicSTBモードの「有効」または「無効」のいずれかを選択させることができる。そして、制御装置１０は、MicSTBモードの「無効」が選択された際、NWSTBモードに設定する旨の情報を図示しないメモリに記憶させる。また、制御装置１０は、MicSTBモードの「有効」が選択された際（本発明に係る設定情報の入力）、MicSTBモードに設定する旨の情報を図示しないメモリに記憶させる。
そして、電源制御手段１１は、電源プラグＰＬがコンセントに挿し込まれ、システム電源装置６１から制御装置１０に電力が供給された際、図示しないメモリに記憶された上記情報を確認し、基本STBモード、NWSTBモード、及びMicSTBモードのいずれかのモードに設定する。
【００３４】
また、電源制御手段１１は、上記３つのスタンバイモードのいずれかのモード時において、利用者による操作装置４への操作により、電源ボタンが押下（電源ＯＮ）された場合には、通常動作モードに移行する。
一方、電源制御手段１１は、通常動作モード時において、利用者による操作装置４への操作により、電源ボタンが押下（電源ＯＦＦ）された場合には、上記同様に、図示しないメモリに記憶された上記情報を確認し、基本STBモード、NWSTBモード、及びMicSTBモードのいずれかのモードに移行する。
【００３５】
また、電源制御手段１１は、MicSTBモード時において、信号処理手段８１からの信号、及びアンプ用電源部６２２の温度を検出する温度検出装置としてのサーミスタ６２２Ａ（図１）からの信号に応じて、音声用電源装置６２から音声処理装置８に電力供給を開始、または、電力供給を停止させる。
【００３６】
冷却制御手段１２は、冷却装置５における各ファン駆動部５１２〜５３２に制御指令を出力し、各ファン駆動部５１２〜５３２を制御する。
音量制御手段１３は、電源用冷却装置５３の動作状態に応じて、信号処理手段８１にて用いられるボリュームテーブルのゲインを変更する。
【００３７】
〔プロジェクタの制御方法〕
次に、上述したプロジェクタ１の制御方法を図面に基づいて説明する。
図３ないし図７は、制御方法を説明するフローチャートである。
なお、以下では、利用者による操作装置４への上述した入力（NWSTBモード「有効」、MicSTBモード「有効」）により、電源制御手段１１がMicSTBモードに設定しているものとする。
また、以下では、プロジェクタ１の制御方法として、説明の便宜上、マイク音声信号に基づく音声をスピーカＳｐから拡声させるまでの処理（以下、出力前処理）、及びスピーカＳｐからマイク音声信号に基づく音声を拡声させた後の処理（以下、出力後処理）に分けて説明する。
【００３８】
〔出力前処理〕
先ず、出力前処理について、図３及び図４を参照して説明する。
電源制御手段１１は、接続検出装置７にて接続状態であると検出されたか否かを判定する（ステップＳ１）。
ステップＳ１において、電源制御手段１１は、「Ｎ」と判定した場合（非接続状態の場合）には、音声用電源装置６２からの音声処理装置８への電力供給の停止状態を維持する（ステップＳ２）。
そして、ステップＳ１において、電源制御手段１１は、「Ｙ」と判定した場合（接続状態の場合）には、ＤＳＰ用電源部６２１及びアンプ用電源部６２２のうち、ＤＳＰ用電源部６２１に制御指令を出力し、ＤＳＰ用電源部６２１から信号処理手段８１に電力を供給させる（ステップＳ３：電源制御ステップ）。
【００３９】
ステップＳ３の後、制御装置１０は、音声処理装置８（信号処理手段８１）に制御指令を出力し、マイク音声信号を処理させる（ステップＳ４）。
ステップＳ４の後は、制御装置１０は、上述したように、アンプ用電源部６２２から増幅手段８２に電力を供給させていない状態であるため、マイク音声信号が入力されていても、スピーカＳｐからマイク音声信号に基づく音声を拡声させないミュート状態としている（ステップＳ５）。
【００４０】
ステップＳ５の後、電源制御手段１１は、信号処理手段８１にて入力状態であると検出されたか否かを判定する（ステップＳ６）。
ステップＳ６において、電源制御手段１１は、「Ｎ」と判定した場合（非入力状態である場合）には、アンプ用電源部６２２からの電力供給の停止状態を維持し、ミュート状態を継続する。
一方、ステップＳ６において、電源制御手段１１は、「Ｙ」と判定した場合（入力状態である場合）には、アンプ用電源部６２２から増幅手段８２に電力を供給させる（ステップＳ７：電源制御ステップ）。
すなわち、ステップＳ７により、制御装置１０は、ＤＳＰ用電源部６２１及びアンプ用電源部６２２から信号処理手段８１及び増幅手段８２の双方に電力を供給させた状態（音声出力状態）としているため、上述したミュート状態を解除することとなる。
【００４１】
ステップＳ７の後、制御装置１０は、信号処理手段８１及び増幅手段８２に制御指令を出力し、上述したステップＳ４の処理に並行して、信号処理手段８１にて処理された音声信号を増幅手段８２に増幅させる（ステップＳ８）。
そして、ステップＳ８の後、音声処理装置８にて処理された音声信号に基づく音声がスピーカＳｐから拡声される（ステップＳ９）。
【００４２】
〔出力後処理〕
次に、出力後処理について、図５ないし図７を参照して説明する。
なお、以下では、出力後処理として、説明の便宜上、信号処理手段８１による非入力状態の検出に応じてミュート状態に移行する処理（以下、ミュート移行処理）、冷却制御手段１２及び音量制御手段１３による処理（以下、冷却・音量処理）、及び、アンプ用電源部６２２の温度異常が生じた場合での電源制御手段１１による処理（以下、異常処理）に分けて説明する。
【００４３】
〔ミュート移行処理〕
先ず、ミュート移行処理について、図５を参照して説明する。
ステップＳ９の後、制御装置１０は、信号処理手段８１による検出結果の判定を継続し、信号処理手段８１による検出結果が非入力状態となったか否かを判定する（ステップＳ１１）。
ステップＳ１１において、制御装置１０は、「Ｎ」と判定した場合（入力状態が継続している場合）には、スピーカＳｐからの拡声（ステップＳ４、Ｓ８、Ｓ９）を継続させる。
一方、ステップＳ１１において、電源制御手段１１は、「Ｙ」と判定した場合（非入力状態に変化した場合）には、アンプ用電源部６２２からの電力供給を停止させ（ステップＳ１２）、ステップＳ５のミュート状態に移行させる。
【００４４】
〔冷却・音量処理〕
次に、冷却・音量処理について、図６を参照して説明する。
ステップＳ９の後、制御装置１０は、サーミスタ６２２Ａからの信号に基づいて、アンプ用電源部６２２の温度を認識し、アンプ用電源部６２２の温度が所定の第１閾値以上となったか否かを常時、監視する（ステップＳ２１）。
ステップＳ２１において、制御装置１０は、「Ｙ」と判定した場合（温度が第１閾値以上の場合）、すなわち、アンプ用電源部６２２の負荷が大きくなったと判定した場合には、以下に示す冷却・音量処理を実行する（ステップＳ２２）。
すなわち、サーミスタ６２２Ａは、本発明に係る温度検出装置の他、負荷検出装置としても機能する。
【００４５】
冷却制御手段１２は、ファン駆動部５３２にのみ制御指令を出力し、各冷却装置５１〜５３のうち電源用冷却装置５３のみを駆動させる。すなわち、冷却制御手段１２は、電源装置６（アンプ用電源部６２２）を冷却させる。
また、音量制御手段１３は、上記電源用冷却装置５３の駆動開始に応じて、信号処理手段８１にて用いられるボリュームテーブルにおいて、ボリューム値毎の各ゲインが予め設定された値よりも大きくなるように補正する。補正されたボリュームテーブルを利用して、信号処理手段８１がマイク音声信号を処理することで、予め設定された補正前のボリュームテーブルを用いた場合と比較して、マイク音声信号の音量が大きくなり、スピーカＳｐから拡声される音量が大きくなる。また、電源用冷却装置５３が動作することで、増幅手段８２及び電源装置６（アンプ用電源部６２２）の温度上昇が抑えられるので、電源用冷却装置５３の動作前よりも重たい負荷で駆動できるようになり、補正前よりも大きなボリューム値を設定することができる。
【００４６】
ステップＳ２２の後、制御装置１０は、サーミスタ６２２Ａからの信号に基づいて、アンプ用電源部６２２の温度を常時監視し、アンプ用電源部６２２の温度が所定の第１閾値未満となったか否かを判定する（ステップＳ２３）。
ステップＳ２３において、制御装置１０は、「Ｎ」と判定した場合（温度が第１閾値以上の場合）には、ステップＳ２２の冷却・音量処理を継続する。
一方、ステップＳ２３において、制御装置１０は、「Ｙ」と判定した場合（温度が第１閾値未満の場合）には、ステップＳ２２の冷却・音量処理を停止し（ステップＳ２４）、再度、ステップＳ２１の処理に移行する。
すなわち、ステップＳ２４では、冷却制御手段１２は、電源用冷却装置５３の駆動を停止させ、電源装置６（アンプ用電源部６２２）の冷却を停止させる。
また、音量制御手段１３は、上記電源用冷却装置５３の駆動停止に応じて、信号処理手段８１にて用いられるボリュームテーブルにおいて、ボリューム値毎の各ゲインを予め設定された値に戻す。
【００４７】
〔異常処理〕
次に、異常処理について、図７を参照して説明する。
なお、異常処理は、上述した冷却・音量処理と略同様の処理であるため、以下では、異なる点のみを説明する。
すなわち、異常処理におけるステップＳ３１及びステップＳ３３は、上述したステップＳ２１及びステップＳ２３と同様のものであり、アンプ用電源部６２２の温度の比較対象を、第１閾値ではなく、アンプ用電源部６２２の使用限界温度とした点が異なる。
ここで、使用限界温度は、第１閾値よりも高いものである。
【００４８】
また、異常処理におけるステップＳ３２及びステップＳ３４は、上述したステップＳ２２及びステップＳ２４と同様のものであり、冷却・音量処理を実施あるいは停止するものではなく、異常処理を実施あるいは停止する点が異なる。
具体的に、ステップＳ３２では、電源制御手段１１は、アンプ用電源部６２２の温度が使用限界温度以上となった場合に、アンプ用電源部６２２からの電力供給を停止させる。すなわち、ステップＳ３２により、上述したミュート状態に設定される。
なお、上述したように、使用限界温度が第１閾値よりも高い温度であるため、アンプ用電源部６２２の温度が使用限界温度以上となった場合には、上述したステップＳ２２により、電源用冷却装置５３が駆動し、電源装置６（アンプ用電源部６２２）が冷却される。
そして、ステップＳ３４では、電源制御手段１１は、電源装置６の冷却によりアンプ用電源部６２２の温度が使用限界温度未満となった場合に、アンプ用電源部６２２からの電力供給を再度、開始させる。
【００４９】
上述した本実施形態によれば、以下の効果がある。
本実施形態では、制御装置１０を構成する電源制御手段１１は、MicSTBモード時において、音声用電源装置６２から音声処理装置８に電力を供給させ、音声処理装置８を介した音声信号に基づく音声をスピーカＳｐから出力可能な音声出力状態に設定する。このことにより、利用者は、自身が発声した声を外部マイクロフォン及びプロジェクタ１を利用して拡声しても、冷却装置５の駆動時の騒音が入り込むことがない。したがって、冷却装置５の駆動時の騒音が入り込むことなく、プロジェクタ１を拡声器として利用でき、利便性の向上が図れる。
【００５０】
また、電源制御手段１１は、利用者による操作装置４の操作により、NWSTBモードの「有効」及びMicSTBモードの「有効」が選択された場合に、音声出力状態に設定する。このことにより、利用者は、プロジェクタ１を拡声器として利用したい場合に限り、上記の選択をすればよく、利便性の向上がさらに図れる。
また、利用者がプロジェクタ１を拡声器として利用しない場合、すなわち、利用者により上記の選択がされていない状態では、基本STBモードあるいはNWSTBモードに設定され、すなわち、音声出力状態に設定されないため、音声用電源装置６２からの音声処理装置８への電力供給を停止でき、不要な電力消費を回避できる。
【００５１】
さらに、電源制御手段１１は、接続検出装置７にて接続状態であると検出された場合に、音声出力状態に設定する。このことにより、利用者がプロジェクタ１を拡声器として利用するか否かを、接続検出装置７による検出結果によって容易に判断できる。
また、電源制御手段１１は、利用者により上記の選択がされ、かつ、接続状態であると検出された場合に、音声出力状態に設定する。このことにより、利用者がプロジェクタ１を拡声器として利用しないにも拘らず、外部マイクロフォンの接続プラグをマイクジャックＭＪから引き抜くことを忘れ、挿し込んだままの状態になっていても、利用者により上記の選択がされていない場合には、音声出力状態に設定しないため、不要な電力消費を回避できる。
【００５２】
さらに、電源制御手段１１は、信号処理手段８１にて入力状態であると検出された場合に、音声出力状態に設定する。このことにより、利用者がプロジェクタ１を拡声器として現在、利用しているか否かを確実に判断できる。
また、電源制御手段１１は、利用者により上記の選択がされ、接続状態であると検出された場合に、ＤＳＰ用電源部６２１から信号処理手段８１にのみ電力を供給させる。そして、電源制御手段１１は、入力状態であると検出された場合に、アンプ用電源部６２２から増幅手段８２にも電力を供給させる。このことにより、段階的に信号処理手段８１及び増幅手段８２に電力を供給させる構成とし、利用者がプロジェクタ１を拡声器として現在、利用していると確実に判断した場合に限り、信号処理手段８１に比べて消費電力の高い増幅手段８２に電力を供給して音声出力状態に設定するため、低消費電力化が図れる。
【００５３】
さらに、電源制御手段１１は、音声出力状態に設定した後、信号処理手段８１にて非入力状態であると検出された場合に、増幅手段８２への電力供給を停止させる。このことにより、利用者がプロジェクタ１を拡声器として利用した後、利用しなくなった場合に、消費電力の高い増幅手段８２への電力供給を停止させるため、不要な電力消費を回避できる。
【００５４】
また、制御装置１０を構成する冷却制御手段１２は、アンプ用電源部６２２の負荷が大きくなったとサーミスタ６２２Ａからの信号により認識した場合に、電源用冷却装置５３を駆動させ、電源装置６（アンプ用電源部６２２）を冷却する。このことにより、アンプ用電源部６２２の負荷が大きくなった場合、すなわち、アンプ用電源部６２２の温度が所定温度（第１閾値）以上になった場合に限り、電源用冷却装置５３のみを駆動するので、MicSTBモード時での冷却装置５の駆動による騒音を抑制しつつ、電源装置６（アンプ用電源部６２２）の熱劣化を防止できる。
【００５５】
さらに、制御装置１０を構成する音量制御手段１３は、電源用冷却装置５３の駆動開始に応じて、信号処理手段８１にて用いられるボリュームテーブルを補正し、予め設定された補正前のボリュームテーブルを用いた場合と比較して、スピーカＳｐから拡声される音量を大きくする。このことにより、スピーカＳｐから拡声される音量自体を大きくすることで、電源用冷却装置５３の駆動時における騒音の影響を回避できる。また、電源用冷却装置５３が動作することで、増幅手段８２及び電源装置６（アンプ用電源部６２２）の温度上昇が抑えられるので、電源用冷却装置５３の動作前よりも重たい負荷で駆動できるようになり、補正前よりも大きなボリューム値を設定することができる。
【００５６】
また、電源制御手段１１は、音声出力状態に設定した後、アンプ用電源部６２２が高温異常（使用限界温度以上）となった場合に、増幅手段８２への電力供給を停止させる。このことにより、アンプ用電源部６２２の熱劣化を抑制しつつ、消費電力の高い増幅手段８２への電力供給を停止させることで不要な電力消費を回避できる。さらには、回路の保護（安全確保）が可能となる。
さらに、電源制御手段１１は、アンプ用電源部６２２が高温異常となり、増幅手段８２への電力供給を停止させた後、冷却制御手段１２による電源用冷却装置５３の駆動によって電源装置６（アンプ用電源部６２２）が高温異常から正常な状態（使用限界温度未満）となった場合に、再度、増幅手段８２への電力供給を開始させる。すなわち、高温異常時は電源用冷却装置５３による冷却に注力させ、高温異常から正常な状態への復帰後には、再度、プロジェクタ１を拡声器として利用できる。したがって、アンプ用電源部６２２の熱劣化を効果的に抑制しつつ、迅速にプロジェクタ１を拡声器として利用できる状態とすることができる。
【００５７】
なお、本発明は前述の実施形態に限定されるものではなく、本発明の目的を達成できる範囲での変形、改良等は本発明に含まれるものである。
前記実施形態では、プロジェクタ１は、スピーカＳｐが内蔵されていたが、これに限らず、外部スピーカを別途、プロジェクタに接続し、外部スピーカを介して音声処理装置８にて処理された音声信号に基づく音声を拡声させる構成としても構わない。
前記実施形態では、MicSTBモード時でプロジェクタ１を拡声器として利用できる構成を主に説明したが、通常動作モード時においても、電源装置６から対応する各構成部材に電力が供給されるため、プロジェクタ１を拡声器として利用できるものである。
【００５８】
前記実施形態では、本発明に係る設定情報の入力を、メニュー画面上で選択する構成としていたが、これに限らず、例えば、プロジェクタ１の外装筐体に露出するように機械スイッチ（操作装置）を設け、機械スイッチを利用者に操作させることで設定情報を入力させる構成としても構わない。
【００５９】
前記実施形態において、プロジェクタ１の制御方法を示すフローは、図３ないし図７に示すフローに限らない。
例えば、利用者により操作装置４に設定情報（NWSTBモード「有効」、MicSTBモード「有効」）が入力され、MicSTBモードに移行した直後に、音声用電源装置６２から音声処理装置８に電力を供給させ、音声出力状態に設定する構成としても構わない。すなわち、音声出力状態に設定する際、接続状態（外部マイクロフォンの接続プラグ及びマイクジャックＭＪの接続）の検出や、入力状態（マイク音声信号の入力）の検出を省略しても構わない。
【００６０】
また、例えば、接続状態が検出された直後に、音声用電源装置６２から音声処理装置８に電力を供給させ、音声出力状態に設定する構成としても構わない。すなわち、音声出力状態に設定する際、操作装置４への設定情報の入力や、入力状態の検出を省略しても構わない。
さらに、例えば、入力状態が検出された直後に、音声用電源装置６２から音声処理装置８に電力を供給させ、音声出力状態に設定する構成としても構わない。すなわち、音声出力状態に設定する際、操作装置４への設定情報の入力や、接続状態の検出を省略しても構わない。
また、例えば、出力後処理において、増幅手段８２への電力供給のみを停止させていたが、これに限らず、信号処理手段８１への電力供給も停止させる構成としても構わない。
【００６１】
前記実施形態において、接続検出装置７の構成は、前記実施形態で説明した構成に限らない。
例えば、外部マイクロフォンがＵＳＢタイプのマイクロフォンの場合には、接続検出装置として、外部マイクロフォンへのＢＵＳパワーの供給の有無を検出することで、外部マイクロフォンが接続されたか否かを検出する構成としても構わない。
前記実施形態では、本発明に係る入力検出装置として、信号処理手段８１を採用していたが、これに限らず、マイク音声信号の信号レベルを検出する構成であれば、信号処理手段８１に限らず、その他の装置を別途、設けても構わない。
前記実施形態では、サーミスタ６２２Ａがアンプ用電源部６２２の温度を検出する構成としていたが、これに限らず、音声用電源装置６２及び音声処理装置８の少なくともいずれかの温度を検出する構成としても構わない。
【００６２】
前記実施形態では、外部マイクロフォンの接続プラグがマイクジャックＭＪに挿し込まれることで、マイク音声信号が入力される構成としていたが、これに限らず、無線媒体を介して、外部マイクロフォンからマイク音声信号が入力される構成としても構わない。
【００６３】
図８は、本実施形態の変形例を示す図である。
前記実施形態では、本発明に係る負荷検出装置として、サーミスタ６２２Ａを採用していたが、これに限らず、図８に示すＤＣレベル検出部Ｄｃを採用しても構わない。
具体的に、ＤＣレベル検出部Ｄｃは、アンプ用電源部６２２から増幅手段８２に供給される電力のＤＣレベルを検出する。
すなわち、アンプ用電源部６２２の負荷が大きければ増幅手段８２に供給する電圧が低く、負荷が小さければ増幅手段８２に供給する電圧が高いため、ＤＣレベル検出部ＤｃがＤＣレベルを検出することで、アンプ用電源部６２２の負荷状態を検出できる。
【００６４】
前記実施形態において、冷却装置５の冷却対象は、前記実施形態で説明した冷却対象（光源装置２１、光変調装置２３、光源駆動部２２、電源装置６）に限らず、その他の冷却対象を採用しても構わない。
前記実施形態では、冷却装置５として、冷却ファン５１１，５２１，５３１を採用していたが、これに限らず、その他の構成、例えば、循環させた冷却液体により冷却対象を冷却する構成を採用しても構わない。
【００６５】
前記実施形態では、光源装置２１として、放電発光型の光源ランプを採用していたが、これに限らず、レーザダイオード、ＬＥＤ(Light Emitting Diode)、有機ＥＬ(Electro Luminescence)素子、シリコン発光素子等の各種固体発光素子を採用しても構わない。
前記実施形態において、光変調装置２３としては、透過型の液晶パネルや反射型の液晶パネルの他、ＤＭＤ(Digital Micromirror Device)(米国テキサスインスツルメント社の商標)等を採用できるものである。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００６６】
本発明のプロジェクタは、利便性の向上が図れるため、プレゼンテーションやホームシアタに用いられるプロジェクタに利用できる。
【図面の簡単な説明】
【００６７】
【図１】本実施形態におけるプロジェクタの概略構成を示すブロック図。
【図２】前記実施形態におけるマイクジャック及び接続検出装置の構成を示す回路図。
【図３】前記実施形態における制御方法を説明するフローチャート。
【図４】前記実施形態における制御方法を説明するフローチャート。
【図５】前記実施形態における制御方法を説明するフローチャート。
【図６】前記実施形態における制御方法を説明するフローチャート。
【図７】前記実施形態における制御方法を説明するフローチャート。
【図８】前記実施形態の変形例を示す図。
【符号の説明】
【００６８】
１・・・プロジェクタ、２・・・画像投射装置、５・・・冷却装置、４・・・操作装置、７・・・接続検出装置、８・・・音声処理装置、１１・・・電源制御手段、１２・・・冷却制御手段、１３・・・音量制御手段、２１・・・光源装置、２２・・・光源駆動部（光源用電源装置）、６２・・・音声用電源装置、８１・・・信号処理手段、８２・・・増幅手段、６２２Ａ・・・サーミスタ（温度検出装置、負荷検出装置）、ＭＪ・・・マイクジャック、Ｓ３，Ｓ７・・・電源制御ステップ。
【図１】
2010122496.tif 000003
【図２】
2010122496.tif 000004
【図３】
2010122496.tif 000005
【図４】
2010122496.tif 000006
【図５】
2010122496.tif 000007
【図６】
2010122496.tif 000008
【図７】
2010122496.tif 000009
【図８】
2010122496.tif 000010